(57)【特許請求の範囲】
【請求項１】
電源線挿入部を有する器具本体と、この器具本体に保持されて前記器具本体の前方に位置した略点光源状の光源と、前記器具本体の前記電源線挿入部と前記光源との間に配置されて前記電源線挿入部を前記光源から遮熱する遮熱板と、前記遮熱板の周囲の前記遮熱板よりも前記光源側に位置するリング状であってアームにより前記器具本体に取付けられたカバー取付用係止具と、前記カバー取付用係止具に係止する引っ掛け具を周縁部に有して前記光源および前記カバー取付用係止具を覆うカバーとを備え、前記遮熱板で反射する前記光源の反射光が前記カバー取付用係止具に照射して前記カバーの前記周縁部の前記引っ掛け具の間に前記カバー取付用係止具の影が形成されるのを防止する影低減手段を、前記遮熱板に設けたことを特徴とする照明器具。
【請求項２】
前記影低減手段は前記遮熱板に設けられて前記反射光が前記カバー取付用係止具に照射するのを防止する折り曲げ部である請求項１記載の照明器具。
【請求項３】
前記光源は前記器具本体に取付けられたランプソケットに装着されたランプであり、前記遮熱板は前記ランプソケットを挿通する切欠き部を有し、前記折曲げ部は前記遮熱板の折り曲げ位置が互いに前記ランプソケットから離れた側で近づいている請求項２記載の照明器具。
【請求項４】
前記影低減手段は前記遮熱板の表面に設けた拡散反射処理または暗色処理である請求項１記載の照明器具。
【請求項５】
前記遮熱板の部位であって前記カバーに影を形成する部分となる前記遮熱板の周辺寄りに前記拡散反射処理または暗色処理を設けた請求項４記載の照明器具。
【発明の詳細な説明】
【０００１】
【発明の属する技術分野】
この発明は、照明器具に関するものである。
【０００２】
【従来の技術】
従来例を図７に示す。すなわち、この照明器具は、電源線挿入部５０を有する器具本体５１と、この器具本体５１に保持された略点光源状のランプ５２と、器具本体５１の電源線挿入部５０とランプ５２との間に配置されて電源線挿入部５０をランプ５２から遮熱する遮熱板５３と、遮熱板５３の前方に位置するように器具本体５１に設けられたカバー取付用係止具５４と、カバー取付用係止具５４に係止されてランプ５２を覆うカバー５５とを備えている。
【０００３】
５６はランプソケット、５７は端子台、５８は電源線、５９は天井面である。
【０００４】
ここで遮熱板５３の本来の目的は、端子台５７に挿入する器具中央部より器具内に引き込んできた電源線５８の分岐点のランプ５２からの熱の影響を低減することである。
【０００５】
【発明が解決しようとする課題】
従来、ランプ５２とカバー５５の間に不透過部を配置するとその影がカバー５５に写り込むことは一般的に知られているが、図７に示すようにランプ５２とカバー５５の間には不透過部がなくとも、ランプ５２からの反射光がカバー５５に照射する遮熱板５３を設けた場合、遮熱板５３とカバー５５の間に係止具５４のような不透過部を配置することによりカバー５５に影が写り込むことが生じ、見栄えが悪くなる。
【０００６】
したがって、この発明の目的は、器具の部品配置を替えずに遮熱板のみの形状変更や表面処理を変えるにより、この影を低減することができる照明器具を提供することである。
【０００７】
【課題を解決するための手段】
請求項１記載の照明器具は、電源線挿入部を有する器具本体と、この器具本体に保持されて前記器具本体の前方に位置した略点光源状の光源と、前記器具本体の前記電源線挿入部と前記光源との間に配置されて前記電源線挿入部を前記光源から遮熱する遮熱板と、前記遮熱板の周囲の前記遮熱板よりも前記光源側に位置するリング状であってアームにより前記器具本体に取付けられたカバー取付用係止具と、前記カバー取付用係止具に係止する引っ掛け具を周縁部に有して前記光源および前記カバー取付用係止具を覆うカバーとを備え、前記遮熱板で反射する前記光源の反射光が前記カバー取付用係止具に照射して前記カバーの前記周縁部の前記引っ掛け具の間に前記カバー取付用係止具の影が形成されるのを防止する影低減手段を、前記遮熱板に設けたことを特徴とするものである。
【０００８】
請求項１記載の照明器具によれば、影低減手段によりカバーへの影の形成を低減することができる。
【０００９】
請求項２記載の照明器具は、請求項１において、前記影低減手段が前記遮熱板に設けられて前記反射光が前記カバー取付用係止具に照射するのを防止する折り曲げ部である。
【００１０】
請求項２記載の照明器具によれば、請求項１と同様な効果のほか、安価に実現できるとともに電源線への熱の影響を低減することができる。
【００１１】
請求項３記載の照明器具は、請求項２において、前記光源が前記器具本体に取付けられたランプソケットに装着されたランプであり、前記遮熱板は前記ランプソケットを挿通する切欠き部を有し、前記折曲げ部は前記遮熱板の折り曲げ位置が互いに前記ランプソケットから離れた側で近づいているものである。
【００１２】
請求項３記載の照明器具によれば、請求項２と同様な効果がある。
【００１３】
請求項４記載の照明器具は、請求項１において、前記影低減手段が前記遮熱板の表面に設けた拡散反射処理または暗色処理である。
【００１４】
請求項４記載の照明器具によれば、全体の反射光を減らしてしまうが、請求項１と同様な効果がある。
【００１５】
請求項５記載の照明器具は、請求項４において、前記遮熱板の部位であって前記カバーに影を形成する部分となる前記遮熱板の周辺寄りに前記拡散反射処理または暗色処理を設けたものである。
【００１６】
請求項５記載の照明器具によれば、請求項４と比べて遮熱板による反射を確保しながら影の低減を図ることができる。
【００１７】
【発明の実施の形態】
この発明の第１の実施の形態を図１から図４により説明する。すなわち、この照明器具は、器具本体１と、光源２と、遮熱板３と、カバー取付用係止具４と、カバー５を有する。
【００１８】
器具本体１は、天井面６に直付けされるものであり、電源線挿入部７を穴により形成している。８は器具本体１にねじにより取付けられたソケット台、９はランプソケット、１０は遮熱板取付台である。天井面６より電源線１７を引出し、器具本体１に設けた端子台１６に接続する。
【００１９】
光源２は略点光源状のランプであり、器具本体１のランプソケット９に保持されている。
【００２０】
遮熱板３は、器具本体１の電源線挿入部７と光源２との間に配置されて電源線挿入部７を光源２から遮熱するものである。実施の形態では遮熱板取付台１０にねじにより取付けられている。この遮熱板３は遮熱板で反射する光源の反射光がカバー取付用係止具４に照射してカバー５に影を形成するのを防止するように、遮熱板３に影低減手段を設けている。実施の形態の影低減手段は、遮熱板３に設けられて反射光がカバー取付用係止具４に照射するのを防止する折り曲げ部１１としている。すなわち、図４に示すように遮熱板３はランプソケット９を挿通する切欠き部１２を有するとともに切欠き部１２の奥部と中央部とを結ぶ線上に遮熱板取付台１０に取付ける取付穴１３を有し、切欠き部１２と取付穴１３を間に一対の平行な折曲線１４を設け、これを境に遮熱板３の両側を、取付状態で光源２側に傾斜するように折曲している。
【００２１】
カバー取付用係止具４は、遮熱板３の前方すなわち光源２側に位置するように器具本体１に設けられている。実施の形態ではリング状であり、器具本体１の内部中央光源２より上側で器具本体１より下側に位置し、３本のアーム４ａを径方向内方に張出し、その先端を折曲して器具本体１に取付けている。
【００２２】
カバー５は、カバー取付用係止具４に係止されて光源２を覆うものであり、光を透過する材料により構成されている。実施の形態ではカバー５の周縁部３個所にカバー取付用係止具４に引っ掛ける引っ掛け具１５を設けている。
【００２３】
この照明器具は、上記のように略点光源状の光源２を備えるとともに、遮熱板３で電源線挿入部７等を覆った器具本体１に、カバー取付用係止具４で器具本体１の前方側に設けたカバー５を取付けるようにし、光源２からの遮熱板３の反射光がカバー取付用係止具４に照射してカバー５に影を形成する遮熱板３の部位を少なくとも含み、その遮熱板３に影低減手段を設けている。
【００２４】
そして、遮熱板３の本来の目的は、前記したように端子台に挿入する器具中央部より器具内に引きこんできた電源線の分岐点のランプからの熱の影響を低減することであり、図４の器具断面図に示すように遮熱板３を折り曲げることにより端子台１６と遮熱板３の表面との距離を大きくし、熱の影響を更に低減させることができると共に電源線１７の遮熱板３への接触を生じにくくすることができる。
【００２５】
この発明の第２の実施の形態を図５に示す。すなわち、第１の実施の形態において、折曲げ部１１は遮熱板３の折り曲げ線４が互いにランプソケット９を挿通する切欠き部１２から離れた取付穴１３側で近づくように傾けている。
【００２６】
この発明の第３の実施の形態の影低減手段は、第１の実施の形態において、遮熱板３を折曲せずに遮熱板３の表面に拡散反射処理を施している。このように遮熱板３を折り曲げせず平面としており遮熱板３の表面を拡散反射させることにより、全体の反射光を減らしてしまうものの、影を低減することができる。
【００２７】
この発明の第４の実施の形態の影低減手段は、第１の実施の形態において、遮熱板３を折り曲げせず平面としており、遮熱板３の表面に暗色の塗装を施し、反射光を少なくすることにより影を低減している。
【００２８】
この発明の第５の実施の形態を図６に示す。すなわち、第３の実施の形態および第４の実施の形態において、遮熱板３の表面を拡散反射させる処理または暗色の塗装２０を遮熱板３の周辺部、すなわち遮熱板３の部位であってカバー５に影を形成する部分となる遮熱板３の周辺寄りに施している。
【００２９】
【発明の効果】
請求項１記載の照明器具によれば、影低減手段によりカバーへの影の形成を低減することができる。
【００３０】
請求項２記載の照明器具によれば、請求項１と同様な効果のほか、安価に実現できるとともに電源線への熱の影響を低減することができる。
【００３１】
請求項３記載の照明器具によれば、請求項２と同様な効果がある。
【００３２】
請求項４記載の照明器具によれば、全体の反射光を減らしてしまうが、請求項１と同様な効果がある。
【００３３】
請求項５記載の照明器具によれば、請求項４と比べて遮熱板による反射を確保しながら影の低減を図ることができる。
【図面の簡単な説明】
【図１】この発明の第１の実施の形態の断面図である。
【図２】その正面図である。
【図３】底面図である。
【図４】（ａ）は遮熱板の構成を示すための概略断面図、（ｂ）は遮熱板の斜視図である。
【図５】第２の実施の形態の遮熱板の斜視図である。
【図６】第３の実施の形態を示し、（ａ）は概略半断面図、（ｂ）は遮熱板の斜視図である。
【図７】従来例の分解斜視図である。
【符号の説明】
１    器具本体
２    光源
３    遮熱板
４    カバー用係止具
５    カバー
６    天井面
７    電源線挿入部
１１    折曲げ部
【図１】
0004123767.tif 000002
【図２】
0004123767.tif 000003
【図３】
0004123767.tif 000004
【図４】
0004123767.tif 000005
【図５】
0004123767.tif 000006
【図６】
0004123767.tif 000007
【図７】
0004123767.tif 000008